(57)【特許請求の範囲】
【請求項１】
ドーム型天井を有するユニットバスにおいて、前記ドーム型天井は、対称形状の２つの天井パネルを備え、各天井パネルの曲面部にはそれぞれ開口が形成され、一方側の天井パネルの開口を点検口として、他方側の天井パネルの開口を換気扇取付口として用い、換気扇取付口として用いられる天井パネルの開口には、複数の種類の中から選択された平面部を有するカバーが取り付けられることを特徴とするユニットバスの天井構造。
【発明の詳細な説明】
【０００１】
【産業上の利用分野】
この発明は、ユニットバスの天井構造に関するものである。
【０００２】
【従来の技術及びその課題】
従来、図９に示すように、ユニットバス１において、壁パネル２の上端にドーム型天井３が設けられる場合、このドーム型天井３は、浴槽側天井パネル５１と洗い場側天井パネル５３を接合して形成しており、浴槽側天井パネル５１には、換気扇５２を取り付けるために取付用の平面部５１ａが形成され、また、洗い場側天井パネル５３には、点検用の点検口５３ａが形成されていた。
このように従来では、ドーム型天井３を構成する浴槽側天井パネル５１と洗い場側天井パネル５３は、形状が異なるものであるため、それぞれの天井パネルを製造するための型が必要であり、型数が多くなり、高価なものとなってしまうという問題点があった。
【０００３】
【課題を解決するための手段】
本発明は上記従来の問題点に鑑み案出したものであって、天井パネルを製造する型数を減少させてコストを低減させることのできるユニットバスの天井構造を提供せんことを目的とし、その要旨は、ドーム型天井を有するユニットバスにおいて、前記ドーム型天井は、対称形状の２つの天井パネルを備え、各天井パネルの曲面部にはそれぞれ開口が形成され、一方側の天井パネルの開口を点検口として、他方側の天井パネルの開口を換気扇取付口として用い、換気扇取付口として用いられる天井パネルの開口には、複数の種類の中から選択された平面部を有するカバーが取り付けられることである。
【０００４】
【実施例】
以下、本発明の実施例を図面に基づいて説明する。
図１は、ドーム型天井を有するユニットバスの分解斜視構成図であり、ユニットバス１は、複数の壁パネル２，２，２を立設し、その上端に、ドーム型天井３を構成する天井パネル４，４を、中央部の中央パネル５に連結して取り付けるのであるが、浴槽側天井パネル４と洗い場側天井パネル４は同一形状に形成されており、１個の型で形成されたものとなっており、ドーム型を形成するための曲面部４ａの内側には、中央パネル５の接合部６と接合するための接合部６が立ち上げ状に形成されており、また下端外周には、壁パネル２と接合するための鍔部７が一体形成されたものとなっている。また、浴槽側天井パネル４と洗い場側天井パネル４の曲面部４ａには、それぞれ開口５が形成されている。
なお、小型のユニットバスにおいては、中央パネル５を省略して、同一形状に形成した一対の天井パネル４，４を合い向きに対称状に接合してドーム型天井３を形成することができるものである。
【０００５】
このように本例では、一対の天井パネル４，４が同一形状に形成されて、それぞれ開口５，５が形成されているため、作業者が施工作業を行う際に、それぞれの開口５から頭を上方へ出して、例えば、鍔部７を壁パネル２の上端に接合する作業等を容易に行うことができ、何れかの開口５，５から上半身を出せば、外周全域に手が届き、作業を容易に行うことができるものとなる。
【０００６】
なお、本例では、前記開口５，５に取り付けることのできる複数種類のカバー及び蓋が用意されており、適宜選択してそれぞれ開口５，５に取付可能に構成されている。
例えば、洗い場側天井パネル４の開口５を点検口として用いる場合には、図２に示すような点検口蓋１０を開口５に着脱可能に取り付けることができ、また、浴槽側天井パネル４の開口５に換気扇を取り付ける場合には、図３または図４に示すような換気扇カバー１１を開口５に着脱可能に取り付けることができる。
図３はＬタイプの換気扇カバーであり、図４はＲタイプの換気扇カバーである。なお、換気扇カバー１１には、換気扇取付口１１ｂの回りに平面部１１ａが形成され、この平面部１１ａに換気扇を設置できるように構成されている。
【０００７】
また、図５及び図６に示すような、暖房機取付口１２ａを有するカバー１２を開口５に取り付けて、暖房機を設置することができるものであり、さらには、図７または図８に示すようなカバー１３を選択して開口５に取り付けることもでき、図７のカバー１３は、乾燥機取付口１３ａと換気扇取付口１３ｂを備えており、換気乾燥機を取付可能なＬタイプのものである。また図８は、Ｒタイプの換気乾燥機取付用のカバーである。
【０００８】
このように、複数種類のカバーまたは蓋の中から現場に対応するものを選んで、天井パネル４の開口５に取り付けることができ、カバーに平面部が形成されているため、天井パネル４には換気扇とか暖房機とか乾燥機を取り付けるための平面部を形成させておく必要がなく、良好に換気扇とか暖房機を設置することができ、設置状態がスッキリとしたものとなり、意匠性に優れた取付状態を得られるものとなる。
【０００９】
【発明の効果】
本発明はドーム型天井を有するユニットバスにおいて、前記ドーム型天井は、対称形状の２つの天井パネルを備え、各天井パネルの曲面部にはそれぞれ開口が形成され、一方側の天井パネルの開口を点検口として、他方側の天井パネルの開口を換気扇取付口として用い、換気扇取付口として用いられる天井パネルの開口には、複数の種類の中から選択された平面部を有するカバーが取り付けられることにより、型数を少なくして天井パネルのコストを低減させることができ、それぞれの天井パネルの開口を利用して施工作業等を容易に行うことができる。
また、現場に対応するものを選んで、天井パネルの開口に取り付けることができ、カバーに平面部が形成されているため、天井パネルには換気扇とか暖房機とか乾燥機を取り付けるための平面部を形成させておく必要がなく、良好に換気扇とか暖房機を設置することができ、設置状態がスッキリとしたものとなり、意匠性に優れた取付状態を得られるものとなる。
【図面の簡単な説明】
【図１】  ドーム型天井を有するユニットバスの分解斜視図である。
【図２】  ドーム型天井を構成する一方側の天井パネルの開口に取り付けられる点検口蓋の構成図である。
【図３】  天井パネルの開口に取り付けられるＬタイプの換気扇カバーの平面図である。
【図４】  Ｒタイプの換気扇カバーの平面図である。
【図５】  Ｌタイプの暖房機取付用カバーの平面図である。
【図６】  Ｒタイプの暖房機取付用カバーの平面図である。
【図７】  Ｌタイプの換気乾燥機取付用カバーの平面図である。
【図８】  Ｒタイプの換気乾燥機取付用カバーの平面図である。
【図９】  従来のドーム型天井の断面構成図である。
【符号の説明】
１  ユニットバス
２  壁パネル
３  ドーム型天井
４  天井パネル
４ａ  曲面部
５  開口
６  接続部
７  鍔部
１０  点検口蓋
１１  換気扇カバー
１１ａ  平面部
１１ｂ  換気扇取付口
１２  カバー
１２ａ  暖房機取付口
１３  カバー
１３ａ  乾燥機取付口
１３ｂ  換気扇取付口
【図１】
0003635400.tif 000002
【図２】
0003635400.tif 000003
【図３】
0003635400.tif 000004
【図４】
0003635400.tif 000005
【図５】
0003635400.tif 000006
【図６】
0003635400.tif 000007
【図７】
0003635400.tif 000008
【図８】
0003635400.tif 000009
【図９】
0003635400.tif 000010